(57)【要約】      （修正有）【課題】強度に優れ、継続して燃料を燃焼させることが容易な焚火台を提供する。【解決手段】焚火台１は、容器３と、支持部２と、を備える。容器３は、第１の面４１Ａを有する第１部分３１１と、第１の面４１Ａに交差する第２の面４２Ａを有する第２部分３１２と、第１の面４１Ａに交差する第３の面４３を有する第３部分３１３と、第２の面４２Ａおよび第３の面４３に交差する第４の面４４を有する第４部分３１４と、を含む。鉛直方向から平面的に見て、第１の面４１Ａ、第２の面４２Ａ、第３の面４３および第４の面４４は、互いに接するように配置される。容器３には、第１の面４１Ａ、第２の面４２Ａ、第３の面４３および第４の面４４によって取り囲まれた第１領域が形成されている。第１の面４１Ａ、第２の面４２Ａ、第３の面４３および第４の面４４のそれぞれと、鉛直方向に垂直な平面とのなす角度が、５度以上２０度以下である。【選択図】図１
0003230320.tif 000002
【実用新案登録請求の範囲】
【請求項１】
焚火をするための第１領域を有する容器と、
前記容器を支持するための支持部と、を備え、
前記容器は、
平板状の形状を有し、鉛直方向に垂直な平面に傾斜する第１の面を有する第１部分と、
平板状の形状を有し、鉛直方向に垂直な平面に傾斜すると共に前記第１の面に交差する第２の面を有する第２部分と、
平板状の形状を有し、鉛直方向に垂直な平面に傾斜すると共に前記第１の面に交差する第３の面を有する第３部分と、
平板状の形状を有し、鉛直方向に垂直な平面に傾斜すると共に前記第２の面および前記第３の面に交差する第４の面を有する第４部分と、を含み、
鉛直方向から平面的に見て、前記第１の面、前記第２の面、前記第３の面および前記第４の面は、互いに接するように配置され、
前記容器には、前記第１の面、前記第２の面、前記第３の面および前記第４の面によって取り囲まれた前記第１領域が形成されており、
前記第１の面、前記第２の面、前記第３の面および前記第４の面のそれぞれと、鉛直方向に垂直な平面とのなす角度が、５度以上２０度以下である、焚火台。
【請求項２】
前記第１部分および前記第２部分は、一体であり、
前記第３部分および前記第４部分は、一体であり、
前記第３部分および前記第４部分は、前記第１部分および前記第２部分から取り外し可能なように設置されている、請求項１に記載の焚火台。
【請求項３】
前記容器は、
前記第１部分および前記第３部分のいずれか一方から突出する第１の爪部と、
前記第２部分および前記第４部分のいずれか一方から突出する第２の爪部と、をさらに備え、
前記第１部分および前記第３部分の他方には、前記第１の爪部に対応した形状を有する第１の穴が形成されており、
前記第２部分および前記第４部分の他方には、前記第２の爪部に対応した形状を有する第２の穴が形成されており、
前記第１の穴には前記第１の爪部が挿入されていると共に、前記第２の穴には前記第２の爪部が挿入されている、請求項２に記載の焚火台。
【請求項４】
前記第１部分、前記第２部分、前記第３部分および前記第４部分は、厚み方向に貫通する貫通孔が間隔をあけて複数配置されている、請求項１から請求項３のいずれか１項に記載の焚火台。
【請求項５】
前記焚火台の質量が８００ｇ以上１２００ｇ以下である、請求項１から請求項４のいずれか１項に記載の焚火台。
【考案の詳細な説明】
【技術分野】
【０００１】
本考案は、焚火台に関するものである。
【背景技術】
【０００２】
屋外において薪などの燃料を燃焼させるために、焚火台が用いられる場合がある。例えば、上部枠体と、上部枠体に取り付けられるステンレスメッシュ部材と、を備えた焚火台が提案されている（特許文献１参照）。
【先行技術文献】
【特許文献】
【０００３】
【特許文献１】実用新案登録第３２２３０１８号公報
【考案の概要】
【考案が解決しようとする課題】
【０００４】
上記焚火台においては、例えば大きな薪を使用しても、潰れ難く、強度が高いことが望ましい。さらに、燃料を継続して燃焼させ易いことが好ましい。そこで、強度に優れ、継続して燃料を燃焼させることが容易な焚火台を提供することを目的の１つとする。
【課題を解決するための手段】
【０００５】
本考案の焚火台は、焚火をするための第１領域を有する容器と、容器を支持するための支持部と、を備える。容器は、平板状の形状を有し、鉛直方向に垂直な平面に傾斜する第１の面を有する第１部分と、平板状の形状を有し、鉛直方向に垂直な平面に傾斜すると共に第１の面に交差する第２の面を有する第２部分と、平板状の形状を有し、鉛直方向に垂直な平面に傾斜すると共に第１の面に交差する第３の面を有する第３部分と、平板状の形状を有し、鉛直方向に垂直な平面に傾斜すると共に第２の面および第３の面に交差する第４の面を有する第４部分と、を含む。鉛直方向から平面的に見て、第１の面、第２の面、第３の面および第４の面は、互いに接するように配置される。容器には、第１の面、第２の面、第３の面および第４の面によって取り囲まれた第１領域が形成されている。第１の面、第２の面、第３の面および第４の面のそれぞれと、鉛直方向に垂直な平面とのなす角度が、５度以上２０度以下である。
【０００６】
本考案の焚火台における容器は、第１の面、第２の面、第３の面および第４の面を含む。容器には、第１の面、第２の面、第３の面および第４の面によって取り囲まれた焚火をするための第１領域が形成されている。第１の面、第２の面、第３の面および第４の面のそれぞれと、鉛直方向に垂直な平面とのなす角度は、５度以上２０度以下である。第１の面、第２の面、第３の面および第４の面のそれぞれと、鉛直方向に垂直な平面とのなす角度は、第１の面、第２の面、第３の面および第４の面のそれぞれの垂線と、鉛直方向に沿って延びる直線とのなす角度（小さい方の角度）に一致する。第１の面、第２の面、第３の面および第４の面のなす角度を上記範囲とすることで、第１の面、第２の面、第３の面および第４の面上に例えば大きな薪などの燃料を載せたとしても、第１の面、第２の面、第３の面および第４の面と燃料との接触面積が増加し、鉛直方向からの荷重を分散させることができる。したがって、鉛直方向からの荷重に対する強度を向上させることができる。第１の面は、第２の面と、第３の面に交差するように配置されている。第４の面は、第２の面と、第３の面に交差するように配置されている。鉛直方向から平面的に見て、第１の面、第２の面、第３の面および第４の面は、互いに接するように配置されている。このような構成を採用することで、第１の面、第２の面、第３の面および第４の面のそれぞれと燃料との間に隙間が形成され易くなる。第１の面、第２の面、第３の面および第４の面のなす角度を上記範囲とすることで、第１領域に空気が入り込み易くなり、上記隙間に空気を導入させ易くすることができる。このため、継続的に燃料を燃焼させ易くすることができる。このように本考案の焚火台によれば、強度に優れ、継続して燃料を燃焼させることが容易な焚火台を提供することができる。
【０００７】
上記焚火台において、第１部分および第２部分は、一体であってもよい。第３部分および第４部分は、一体であってもよい。第３部分および第４部分は、第１部分および第２部分から取り外し可能なように設置されてもよい。このような構成を採用することで、容器を容易に組み立てることができる。
【０００８】
上記焚火台において、容器は、第１部分および第３部分のいずれか一方から突出する第１の爪部と、第２部分および第４部分のいずれか一方から突出する第２の爪部と、をさらに備えてもよい。第１部分および第３部分の他方には、第１の爪部に対応した形状を有する第１の穴が形成されてもよい。第２部分および第４部分の他方には、第２の爪部に対応した形状を有する第２の穴が形成されもよい。第１の穴には第１の爪部が挿入されていると共に、第２の穴には第２の爪部が挿入されてもよい。第１の穴には第１の爪部が挿入されていると共に、第２の穴には第２の爪部が挿入されることで、第３部分および第４部分に対する第１部分および第２部分の相対的な移動や、第１部分および第２部分に対する第３部分および第４部分の相対的な移動を規制することができる。このため、第１領域の大きさを維持することが容易となる。
【０００９】
上記焚火台において、第１部分、第２部分、第３部分および第４部分は、厚み方向に貫通する貫通孔が間隔をあけて複数配置されてもよい。このように貫通孔が複数形成されることで、第１領域にさらに空気が入り込み易くすることができる。
【００１０】
上記焚火台の質量が８００ｇ以上１２００ｇ以下であってもよい。上記焚火台がこのような質量を有することで、風が吹いたり、不安定な場所で焚火台を使用したりしても、焚火台が揺れ動くことを低減することができる。したがって、焚火台を安定して使用することができる。
【考案の効果】
【００１１】
本考案の焚火台によれば、強度に優れ、継続して燃料を燃焼させることが容易な焚火台を提供することができる。
【図面の簡単な説明】
【００１２】
【図１】図１は焚火台の構造を示す概略斜視図である。
【図２】図２は容器の構造を示す概略平面図である。
【図３】図３は第１部分および第２部分の構造を示す概略平面図である。
【図４】図４は第１部分および第２部分の構造を示す概略断面図である。
【図５】図５は第３部分および第４部分の構造を示す概略平面図である。
【図６】図６は支持部の構造を概略斜視図である。
【考案を実施するための形態】
【００１３】
次に、本考案の焚火台の一実施の形態を、図面を参照しつつ説明する。以下の図面において同一または相当する部分には同一の参照番号を付しその説明は繰返さない。
【００１４】
図１は、焚火台の構造を示す概略斜視図である。図１において、Ｚ軸方向は鉛直方向である。Ｘ軸方向は、第１の面をＺ軸方向から平面的に見た時の第３の辺に沿った方向であり、Ｙ軸方向は第１の面をＺ軸方向から平面的に見た時の第３の辺に垂直な方向である。図２は、容器の構造を示す概略平面図である。図３は、第１部分および第２部分の構造を示す概略平面図である。図４は、第１部分および第２部分の構造を示す概略断面図である。図４は、図３のＡ−Ａで切断した場合の断面図である。図１を参照して、焚火台１は、容器３と、容器３を支持する支持部２と、を備える。焚火台１は、例えば薪などの燃料を燃焼させるための焚火台である。容器３および支持部２は、それぞれ金属製（ステンレス製）である。本実施の形態では、焚火台１の質量は、８００ｇ以上１２００ｇ以下である。
【００１５】
図１〜図４を参照して、本実施の形態では、容器３は、第１部分３１１と、第２部分３１２と、第３部分３１３と、第４部分３１４と、第１外周部３２１と、第２外周部３２２と、第３外周部３２３と、第４外周部３２４と、第５外周部３２５と、第６外周部３２６と、第７外周部３３１と、第８外周部３３２と、第９外周部３３３と、第１０外周部３３４と、第１１外周部３３５と、第１２外周部３３６と、を含む。
【００１６】
第１部分３１１は、平板状の形状を有する。図２、図３および図４を参照して、第１部分３１１は、厚み方向における一方の面である第１の面４１Ａと、他方の面４１Ｂと、を含む。第１の面４１Ａおよび面４１Ｂは、それぞれ平面状の形状を有する。第１の面４１ＡとＺ軸方向に垂直な平面（Ｘ−Ｙ平面）とのなす角度（第１の面４１Ａの垂線ＱとＺ軸方向に沿って延びる直線Ｐとのなす角度θ１）は、５度以上２０度以下である。第１の面４１ＡとＸ−Ｙ平面とのなす角度の上限は、好ましくは１５度であり、より好ましくは１０度である。本実施の形態では、第１の面４１Ａは、四角形状の形状（台形形状）を有する。より具体的には、第１の面４１Ａは、第１の辺３１Ａと、第２の辺３１Ｂと、第３の辺３１Ｃと、第４の辺３１Ｄと、を含む。Ｚ軸方向から平面的に見て、第１の面は、Ｘ軸方向に沿って延びる形状を有する。Ｚ軸方向から平面的に見て、第１の辺３１Ａおよび第３の辺３１Ｃは、Ｘ軸方向に沿って延びる。第２の辺３１Ｂおよび第４の辺３１Ｄは、Ｙ軸方向に沿って延びる。第２の辺３１Ｂと、第４の辺３１Ｄとは平行に配置される。本実施の形態では、Ｚ軸方向に平面的に見て、第１部分３１１には、厚み方向に貫通する貫通孔３６１がＸ軸方向に間隔をあけて複数（本実施の形態では６つ）形成されている。本実施の形態では、容器３は、面４１Ｂから突出する第１の爪部３５１をさらに備える。第１の爪部３５１は、Ｘ軸方向において貫通孔３６１と第４の辺３１Ｄとの間に配置される。
【００１７】
本実施の形態では、第１外周部３２１、第２外周部３２２および第３外周部３２３は、第１部分３１１の外周に沿って配置される。より具体的には、第１外周部３２１は、平板状の形状を有する。第１外周部３２１は、第１の面４１Ａの第１の辺３１Ａから鉛直方向上側に延びる。第１外周部３２１は、厚み方向における一方の面４５を含む。面４５は、第１の面４１Ａに交差する。第１外周部３２１には、Ｙ軸方向における第１の辺３１Ａとは反対側に切り欠き３７１が形成されている。第２外周部３２２は、平板状の形状を有する。第２外周部３２２は、第１の面４１Ａの第２の辺３１Ｂから鉛直方向上側に延びる。第２外周部３２２は、厚み方向における一方の面４６を含む。面４６は、第１の面４１Ａに交差する。第３外周部３２３は、第１外周部３２１と第２外周部３２２とを接続する。
【００１８】
第２部分３１２は、平板状の形状を有する。第２部分３１２は、厚み方向における一方の面である第２の面４２Ａと、他方の面４２Ｂと、を含む。第２の面４２Ａおよび面４２Ｂは、それぞれ平面状の形状を有する。第２の面４２Ａと、Ｚ軸方向に垂直な平面（Ｘ−Ｙ平面）とのなす角度（第２の面４２Ａの垂線ＲとＺ軸方向に沿って延びる直線Ｐとのなす角度θ２）は、５度以上２０度以下である。第２の面４２ＡとＸ−Ｙ平面とのなす角度の上限は、好ましくは１５度であり、より好ましくは１０度である。第２の面４２Ａは、第１の面４１Ａに交差する。本実施の形態では、第２の面４２Ａは、四角形状の形状（台形形状）を有する。より具体的には、第２の面４２Ａは、第５の辺３２Ａと、第６の辺３２Ｂと、第７の辺３２Ｃと、第８の辺３２Ｄと、を含む。Ｚ軸方向から平面的に見て、第２の面４２Ａは、Ｘ軸方向に延びる形状を有する。Ｚ軸方向から平面的に見て、第５の辺３２Ａおよび第７の辺３２Ｃは、Ｘ軸方向に沿って延びる。Ｚ軸方向から平面的に見て、第６の辺３２Ｂおよび第８の辺３２Ｄは、Ｙ軸方向に沿って延びる。第６の辺３２Ｂと第８の辺３２Ｄとは平行に配置される。本実施の形態では、Ｚ軸方向から平面的に見て、第２部分３１２には、厚み方向に貫通する貫通孔３６２がＸ軸方向に間隔をあけて複数（本実施の形態では６つ）形成されている。本実施の形態では、容器３は、面４２Ｂから突出する第２の爪部３５２をさらに備える。第２の爪部３５２は、Ｘ軸方向において貫通孔３６２と第８の辺３２Ｄとの間に配置されている。
【００１９】
本実施の形態では、第４外周部３２４、第５外周部３２５および第６外周部３２６は、第２部分３１２の外周に沿って配置される。より具体的には、第４外周部３２４は、平板状の形状を有する。第４外周部３２４は、第２の面４２Ａの第５の辺３２Ａから鉛直方向上側に延びる。第４外周部３２４は、厚み方向における一方の面４７を含む。面４７は、第２の面４２Ａに交差する。第４外周部３２４には、Ｙ軸方向における第５の辺３２Ａとは反対側に切り欠き３７２が形成されている。第５外周部３２５は、平板状の形状を有する。第５外周部３２５は、第２の面４２Ａの第６の辺３２Ｂから鉛直方向上側に延びる。第５外周部３２５は、厚み方向における一方の面４８を含む。面４８は、第２の面４２Ａに交差する。第６外周部３２６は、第４外周部３２４と第５外周部３２５とを接続する。
【００２０】
本実施の形態では、第１部分３１１、第２部分３１２、第１外周部３２１、第２外周部３２２、第３外周部３２３、第４外周部３２４、第５外周部３２５および第６外周部３２６は、一体である。
【００２１】
第３部分３１３は、平板状の形状を有する。図１、図２および図５を参照して、第３部分３１３は、厚み方向における一方の面である第３の面４３を含む。第３の面４３は、平面状の形状を有する。第３の面４３と、Ｚ軸方向に垂直な平面（Ｘ−Ｙ平面）とのなす角度（第３の面４３の垂線ＭとＺ軸方向に沿って延びる直線Ｐとのなす角度θ３）は、５度以上２０度以下である。第３の面４３とＸ−Ｙ平面とのなす角度の上限は、好ましくは１５度であり、より好ましくは１０度である。第３の面４３は、第１の面４１Ａに交差する。本実施の形態では、第３の面４３は、四角形状の形状（台形形状）を有する。より具体的には、第３の面４３は、第９の辺３３Ａと、第１０の辺３３Ｂと、第１１の辺３３Ｃと、第１２の辺３３Ｄと、を含む。Ｚ軸方向から平面的に見て、第３の面４３は、Ｘ軸方向に沿って延びる形状を有する。Ｚ軸方向から平面的に見て、第９の辺３３Ａおよび第１１の辺３３Ｃは、Ｘ軸方向に沿って延びる。Ｚ軸方向から平面的に見て、第１０の辺３３Ｂおよび第１２の辺３３Ｄは、Ｙ軸方向に沿って延びる。第１０の辺３３Ｂと第１２の辺３３Ｄとは、平行に配置される。本実施の形態では、Ｚ軸方向から平面的に見て、第３部分３１３には、厚み方向に貫通する貫通孔３６３がＸ軸方向に間隔をあけて複数（本実施の形態では６つ）形成されている。本実施の形態では、第３部分３１３には、Ｘ軸方向において貫通孔３６３と第１２の辺３３Ｄとの間に厚み方向に貫通する第１の穴３８１が形成されている。第１の穴３８１は、第１の爪部３５１に対応した形状を有する。
【００２２】
本実施の形態では、第７外周部３３１、第８外周部３３２および第９外周部３３３は、第３部分３１３の外周に沿って配置される。より具体的には、第７外周部３３１は、平板状の形状を有する。第７外周部３３１は、第３の面４３の第９の辺３３Ａから鉛直方向上側に延びる。第７外周部３３１は、厚み方向における一方の面５５を含む。面５５は、第３の面４３に交差する。面５５は、第１外周部３２１の面４５に交差する。第７外周部３３１には、Ｙ軸方向における第９の辺３３Ａとは反対側に切り欠き３７３が形成されている。第８外周部３３２は、平板状の形状を有する。第８外周部３３２は、第３の面４３の第１０の辺３３Ｂから鉛直方向上側に延びる。第８外周部３３２は、厚み方向における一方の面５６を含む。面５６は、第３の面４３に交差する。第９外周部３３３は、第７外周部３３１と第８外周部３３２とを接続する。
【００２３】
第４部分３１４は、平板状の形状を有する。第４部分３１４は、厚み方向における一方の面である第４の面４４を含む。第４の面４４は、平面状の形状を有する。第４の面４４と、Ｚ軸方向に垂直な平面（Ｘ−Ｙ平面）とのなす角度（第４の面４４の垂線ＮとＺ軸方向に沿って延びる直線Ｐとのなす角度θ４）は、５度以上２０度以下である。第４の面４４とＸ−Ｙ平面とのなす角度の上限は、好ましくは１５度であり、より好ましくは１０度である。第４の面４４は、第３の面４３に交差すると共に第２の面４２Ａに交差する。本実施の形態では、第４の面４４は、四角形状の形状（台形形状）を有する。より具体的には、第４の面４４は、第１３の辺３４Ａと、第１４の辺３４Ｂと、第１５の辺３４Ｃと、第１６の辺３４Ｄと、を含む。Ｚ軸方向から平面的に見て、第４の面４４は、Ｘ軸方向に沿って延びる形状を有する。Ｚ軸方向から平面的に見て、第１３の辺３４Ａおよび第１５の辺３４Ｃは、Ｘ軸方向に沿って延びる。第１４の辺３４Ｂおよび第１６の辺３４Ｄは、Ｙ軸方向に沿って延びる。第１４の辺３４Ｂと第１６の辺３４Ｄとは、平行に配置される。本実施の形態では、Ｚ軸方向から平面的に見て、第４部分３１４には、厚み方向に貫通する貫通孔３６４がＸ軸方向に間隔をあけて複数（本実施の形態では６つ）形成されている。本実施の形態では、第４部分３１４には、Ｘ軸方向において貫通孔３６４と第１６の辺３４Ｄとの間に厚み方向に関する第２の穴３８２が形成されている。第２の穴３８２は、第２の爪部３５２に対応した形状を有する。
【００２４】
本実施の形態では、第１０外周部３３４、第１１外周部３３５および第１２外周部３３６は、第４部分３１４の外周に沿って配置される。より具体的には、第１０外周部３３４は、平板状の形状を有する。第１０外周部３３４は、第４の面４４の第１３の辺３４Ａから鉛直方向上側に延びる。第１０外周部３３４は、厚み方向における一方の面５７を含む。面５７は、第４の面４４に交差する。面５７は、第４外周部３２４の面４７に交差する。第１０外周部３３４には、Ｙ軸方向における第１３の辺３４Ａとは反対側に切り欠き３７４が形成されている。第１１外周部３３５は、平板状の形状を有する。第１１外周部３３５は、第４の面４４の第１４の辺３４Ｂから鉛直方向上側に延びる。第１１外周部３３５は、厚み方向における一方の面５８を含む。面５８は、第４の面４４に交差する。第１２外周部３３６は、第１０外周部３３４と第１１外周部３３５とを接続する。
【００２５】
本実施の形態では、第３部分３１３、第４部分３１４、第７外周部３３１、第８外周部３３２、第９外周部３３３、第１０外周部３３４、第１１外周部３３５および第１２外周部３３６は、一体である。
【００２６】
図２を参照して、Ｚ軸方向から平面的に見て、第１の面４１Ａ、第２の面４２Ａ、第３の面４３および第４の面４４は、互いに接するように配置されている。より具体的には、Ｚ軸方向から平面的に見て、第１の面４１Ａと第２の面４２Ａとは、Ｙ軸方向に並んで配置されている。Ｚ軸方向から平面的に見て、第３の面４３と第４の面４４とは、Ｙ軸方向に並んで配置されている。Ｚ軸方向から平面的に見て、第１の面４１Ａと第３の面４３とは、Ｘ軸方向に並んで配置されている。Ｚ軸方向から平面的に見て、第２の面４２Ａと第４の面４４とは、Ｘ軸方向に並んで配置されている。本実施の形態では、第１の面４１Ａ、第２の面４２Ａ、第３の面４３、第４の面４４および面４５，４６，４７，４８，５５，５６，５７，５８によって取り囲まれた焚火をするための第１領域Ｓが形成されている。本実施の形態では、第３部分３１３、第４部分３１４、第７外周部３３１、第８外周部３３２、第９外周部３３３、第１０外周部３３４、第１１外周部３３５および第１２外周部３３６は、第１部分３１１、第２部分３１２、第１外周部３２１、第２外周部３２２、第３外周部３２３、第４外周部３２４、第５外周部３２５および第６外周部３２６に対して取り外し可能である。より具体的には、第１部分における第１の爪部３５１は、第１の穴３８１に挿入されている。第２部分における第２の爪部３５２は、第２の穴３８２に挿入されている。図２および図４を参照して、第１部分３１１の面４１Ｂの一部が、第３の面４３に接触するように配置されている。第２部分３１２の面４２Ｂの一部が、第４の面４４に接触するように配置されている。
【００２７】
図１および図６を参照して、支持部２は、一対の脚部２１，２２と、棒状部２３，２４，２５，２６，２０１，２０２と、接続部２７，２８と、を含む。接続部２７，２８は、棒状の形状を有する。接続部２７，２８は、Ｘ軸方向に沿って延びる。接続部２７と接続部２８とは、Ｙ軸方向に間隔をあけて平行に配置される。接続部２７の一方の端部には、棒状部２３が接続されている。接続部２７の他方の端部には、棒状部２５が接続されている。接続部２８の一方の端部には、棒状部２４が接続されている。接続部２８の他方の端部には、棒状部２６が接続されている。棒状部２３，２４，２５，２６は、Ｚ軸方向に沿って延びる。棒状部２３と棒状部２４とは、Ｙ軸方向に間隔をあけて平行に配置される。棒状部２５と棒状部２６とは、Ｙ軸方向に間隔をあけて平行に配置される。棒状部２３の接続部２７とは反対側の端部には、脚部２１が配置されている。棒状部２４の接続部２８とは反対側の端部には、脚部２１が配置されている。棒状部２５の接続部２７とは反対側の端部には、脚部２２が配置されている。棒状部２６の接続部２８とは反対側の端部には、脚部２２が配置されている。
【００２８】
脚部２１は、Ｙ−Ｚ平面に対して傾斜するように延びる。本実施の形態では、脚部２１のＹ−Ｚ平面に対する傾斜角度は、例えば１５度以上２５度以下（より好ましくは２０度）である。Ｚ軸方向から平面的に見て、脚部２１は、棒状部２３，２４から見て、接続部２７，２８とは反対側に延びる。脚部２２は、Ｙ−Ｚ平面に対して傾斜するように延びる。本実施の形態では、脚部２２のＹ−Ｚ平面に対する傾斜角度は、例えば１５度以上２５度以下（より好ましくは２０度）である。Ｚ軸方向から平面的にみて、脚部２２は、棒状部２５，２６から見て、接続部２７，２８とは反対側に延びる。脚部２２と脚部２１とは、Ｘ軸方向に間隔をあけて配置される。棒状部２０１の両端には、脚部２１が接続されている。棒状部２０１は、Ｙ軸方向に沿って延びる屈曲した形状を有する。棒状部２０２の両端には、脚部２２が接続されている。棒状部２０２は、Ｙ軸方向に沿って延びる屈曲した形状を有する。
【００２９】
容器３の第１部分３１１および第２部分３１２が、棒状部２０１に接触するように配置されている。この際に、第１外周部３２１の切り欠き３７１に棒状部２３が挿入されている。さらに第４外周部３２４の切り欠き３７２に棒状部２４が挿入されている。第３部分３１３および第４部分３１４が、棒状部２０２に接触するように配置されている。この際に、第７外周部３３１の切り欠き３７２に棒状部２５が挿入されている。さらに、第１０外周部３３４の切り欠き３７３に棒状部２６が挿入されている。Ｚ軸方向から平面的に見て、脚部２１と、脚部２２とは、容器３の重心を挟んで配置されている。
【００３０】
ここで、本実施の形態における焚火台１において、第１の面４１Ａ、第２の面４２Ａ、第３の面４３および第４の面４４のそれぞれと、Ｘ−Ｙ平面とのなす角度θ１，θ２，θ３，θ４は、５度以上２０度以下である。このようにすることで、第１の面４１Ａ、第２の面４２Ａ、第３の面４３および第４の面４４上に例えば大きな薪などの燃料を載せたとしても、第１の面４１Ａ、第２の面４２Ａ、第３の面４３および第４の面４４と燃料との接触面積が増加し、Ｚ軸方向からの荷重を分散させることができる。したがって、Ｚ軸方向からの荷重に対する強度を向上させることができる。第１の面４１Ａは、第２の面４２Ａと、第３の面４３に交差する。第４の面４４は、第２の面４２Ａと、第３の面４３に交差する。Ｚ軸方向から平面的に見て、第１の面４１Ａ、第２の面４２Ａ、第３の面４３および第４の面４４は、互いに接するように配置されている。このような構成を採用することで、第１の面４１Ａ、第２の面４２Ａ、第３の面４３および第４の面４４のそれぞれと燃料との間に隙間が形成され易くなる。第１の面４１Ａ、第２の面４２Ａ、第３の面４３および第４の面４４のなす角度を上記範囲とすることで、第１領域Ｓに空気が入り込み易くなり、上記隙間に空気を導入させ易くすることができる。このため、継続的に燃料を燃焼させ易くすることができる。このように本考案の焚火台によれば、強度に優れ、継続して燃料を燃焼させることが容易である。
【００３１】
上記実施の形態では、第１部分３１１、第２部分３１２、第１外周部３２１、第２外周部３２２、第３外周部３２３、第４外周部３２４、第５外周部３２５および第６外周部３２６は、一体である。さらに、第３部分３１３、第４部分３１４、第７外周部３３１、第８外周部３３２、第９外周部３３３、第１０外周部３３４、第１１外周部３３５および第１２外周部３３６は、一体である。第３部分３１３、第４部分３１４、第７外周部３３１、第８外周部３３２、第９外周部３３３、第１０外周部３３４、第１１外周部３３５および第１２外周部３３６は、第１部分３１１、第２部分３１２、第１外周部３２１、第２外周部３２２、第３外周部３２３、第４外周部３２４、第５外周部３２５および第６外周部３２６に対して取り外し可能である。このような構成を採用することで、容器３を容易に組み立てることができる。
【００３２】
上記実施の形態では、容器４０は、第１の爪部３５１と、第２の爪部３５２と、を備える。第３部分３１３には、第１の爪部３５１に対応した形状を有する第１の穴３８１が形成されている。第４部分３１４には、第２の爪部３５２に対応した形状を有する第２の穴３８２が形成されている。第１の爪部３５１は、第１の穴３８１に挿入されている。第２の爪部３５２は、第２の穴３８２に挿入されている。このような構成を採用することで、第１部分３１１および第２部分３１２や第３部分３１３および第４部分３１４の相対的な移動を規制することができる。このため、第１領域Ｓの大きさを維持することが容易となる。
【００３３】
上記実施の形態において、第１部分３１１には、複数の貫通孔３６１が形成されている。第２部分３１２には、複数の貫通孔３６２が形成されている。第３部分３１３には、複数の貫通孔３６３が形成されている。第４部分３１４には、複数の貫通孔３６４が形成されている。このように貫通孔３６１，３６２，３６３，３６４が複数形成されることで、第１領域Ｓに空気が入り込み易くすることができる。
【００３４】
上記実施の形態において、焚火台１の質量が８００ｇ以上１２００ｇ以下である。上記焚火台１がこのような質量を有することで、風が吹いたり、不安定な場所で焚火台を使用したりしても、焚火台１が揺れ動くことを低減することができる。したがって、焚火台１を安定して使用することができる。
【００３５】
上記実施の形態では、第１の面４１Ａ、第２の面４２Ａ、第３の面４３および第４の面４４は、それぞれ台形形状である場合について説明したが、これに限られず、第１の面４１Ａ、第２の面４２Ａ、第３の面４３および第４の面４４は、それぞれ長方形状、正方形状、ひし形状や平行四辺形状の形状を有してもよい。また、第１の面４１Ａ、第２の面４２Ａ、第３の面４３および第４の面４４は、それぞれ円形状や円弧状の形状を有してもよい。
【００３６】
今回開示された実施の形態はすべての点で例示であって、制限的なものではないと考えられるべきである。本考案の範囲は上記した説明ではなくて実用新案登録請求の範囲によって示され、実用新案登録請求の範囲と均等の意味、および範囲内でのすべての変更が含まれることが意図される。
【産業上の利用可能性】
【００３７】
本考案の焚火台は、強度に優れ、継続して燃料を燃焼させることが求められる場合に特に有利に適用される。
【符号の説明】
【００３８】
１  焚火台、２  支持部、３  容器、２１  脚部、２２  脚部、２３  棒状部、２４  棒状部、２５  棒状部、２６  棒状部、２７  接続部、２８  接続部、３１Ａ  第１の辺、３１Ｂ  第２の辺、３１Ｃ  第３の辺、３１Ｄ  第４の辺、３２Ａ  第５の辺、３２Ｂ  第６の辺、３２Ｃ  第７の辺、３２Ｄ  第８の辺、３３Ａ  第９の辺、３３Ｂ  第１０の辺、３３Ｃ  第１１の辺、３３Ｄ  第１２の辺、３４Ａ  第１３の辺、３４Ｂ  第１４の辺、３４Ｃ  第１５の辺、３４Ｄ  第１６の辺、４０  容器、４１Ａ  第１の面、４１Ｂ  面、４２Ａ  第２の面、４２Ｂ  面、４３  第３の面、４４  第４の面、４５  面、４６  面、４７  面、４８  面、５５  面、５６  面、５７  面、５８  面、２０１  棒状部、２０２  棒状部、３１１  第１部分、３１２  第２部分、３１３  第３部分、３１４  第４部分、３２１  第１外周部、３２２  第２外周部、３２３  第３外周部、３２４  第４外周部、３２５  第５外周部、３２６  第６外周部、３３１  第７外周部、３３２  第８外周部、３３３  第９外周部、３３４  第１０外周部、３３５  第１１外周部、３３６  第１２外周部、３５１  第１の爪部、３５２  第２の爪部、３６１  貫通孔、３６２  貫通孔、３６３  貫通孔、３６４  貫通孔、３７１  切り欠き、３７２  切り欠き、３７３  切り欠き、３７４  切り欠き、３８１  第１の穴、３８２  第２の穴。
【図１】
0003230320.tif 000003
【図２】
0003230320.tif 000004
【図３】
0003230320.tif 000005
【図４】
0003230320.tif 000006
【図５】
0003230320.tif 000007
【図６】
0003230320.tif 000008